(57)【特許請求の範囲】
【請求項１】
股間部位にて任意方向に開脚作動可能、かつ着脱可能な左右の脚部を備え、
該左右の脚部は、夫々上脚と下脚と足部とからなり、
上脚は、脚長さ方向で前後に二分割した上脚本体と、
該一方の上脚本体内に着脱可能に内装されると共に、他方の上脚本体を嵌合して連結する嵌合連結部材と、
上脚本体上端にて回動可能に備えられる股間連結部材とからなり、
一方の上脚本体は、外面に非貫通状に備えた筒状の股間連結部材用ネジ止め部と板状部固定用ネジ止め部を、夫々上脚本体内の上端側とその他の内面所望箇所に突設し、
他方の上脚本体は、嵌合連結部材と嵌合して連結する嵌合部をその内面に備え、
股間連結部材は、上記股間連結部材用ネジ止め部に挿通穴を介して上脚本体に回動可能かつ着脱可能に連結される上脚側連結片と、該連結片から一体的に延設され股間部位に回動可能かつ着脱可能に連結される係止片とを備え、
嵌合連結部材は、一方の上脚本体内面所望箇所に突設した板状部固定用ネジ止め部のネジ穴に連通するネジ穴を有し、そのネジ穴上方からネジ止めして上脚本体内に一体的に内装されると共に、他方の上脚本体内面の嵌合部と嵌合する嵌合部を該他方の上脚本体と対向する面側に設けてなる板状部と、該板状部の一端に備えられ、下脚を回動可能かつ着脱可能に連結する第一連結部と、該板状部の他端にフランジ状に備えられ、上記上脚本体上端側の股間連結部材用ネジ止め部に挿通穴を介して連結すると共に上記股間連結部材の上脚側連結片と摺接状に配される第二連結部を備え、
該第二連結部は、股間連結部材用ネジ止め部外径に、股間連結部材の上脚側連結片の挿通穴を嵌挿した後に、自己の挿通穴を上記ネジ止め部外径に嵌挿し、上記上脚側連結片の上下面を一方の上脚本体周縁面と第二連結部の摺接面とで挟み込むように密着させると共に、ネジ止め連結されることで肌表面に露出しない渋み調整部を構成し、
前記足部の裏面には、一個乃至複数個の固着部材を備えたことを特徴とする人形。
【請求項２】
股間部位にて任意方向に開脚作動可能、かつ着脱可能な左右の脚部を備え、
該左右の脚部は、夫々上脚と下脚と足部とからなり、
上脚は、脚長さ方向で前後に二分割した上脚本体と、
該一方の上脚本体内に着脱可能に内装されると共に、他方の上脚本体を嵌合して連結する嵌合連結部材と、
上脚本体上端にて回動可能に備えられる股間連結部材とからなり、
一方の上脚本体は、外面に非貫通状に備えた筒状の股間連結部材用ネジ止め部と板状部固定用ネジ止め部を、夫々上脚本体内の上端側とその他の内面所望箇所に突設し、
他方の上脚本体は、嵌合連結部材と嵌合して連結する嵌合部をその内面に備え、
股間連結部材は、上記股間連結部材用ネジ止め部に挿通穴を介して上脚本体に回動可能かつ着脱可能に連結される上脚側連結片と、該連結片から一体的に延設され股間部位に回動可能かつ着脱可能に連結される係止片とを備え、
嵌合連結部材は、一方の上脚本体内面所望箇所に突設した板状部固定用ネジ止め部のネジ穴に連通するネジ穴を有し、そのネジ穴上方からネジ止めして上脚本体内に一体的に内装されると共に、他方の上脚本体内面の嵌合部と嵌合する嵌合部を該他方の上脚本体と対向する面側に設けてなる板状部と、該板状部の一端に備えられ、下脚を回動可能かつ着脱可能に連結する第一連結部と、該板状部の他端にフランジ状に備えられ、上記上脚本体上端側の股間連結部材用ネジ止め部に挿通穴を介して連結すると共に上記股間連結部材の上脚側連結片と摺接状に配される第二連結部を備え、
該第二連結部は、股間連結部材用ネジ止め部外径に、股間連結部材の上脚側連結片の挿通穴を嵌挿した後に、自己の挿通穴を上記ネジ止め部外径に嵌挿し、上記上脚側連結片の上下面を一方の上脚本体周縁面と第二連結部の摺接面とで挟み込むように密着させると共に、ネジ止め連結されることで肌表面に露出しない渋み調整部を構成し、
前記足部には着脱可能な靴を備え、該靴の底には、一個乃至複数個の固着部材を備えたことを特徴とする人形。
【請求項３】
固着部材は磁石で、該磁石は表面を露呈させて指裏若しくは指寄りの足部裏面任意箇所に埋設されていることを特徴とする請求項１に記載の人形。
【請求項４】
固着部材は磁石で、該磁石は薄肉状で靴底に一体的に貼設されていることを特徴とする請求項２に記載の人形。
【請求項５】
靴がハイヒール若しくはローファーのいずれかであることを特徴とする請求項２又は４に記載の人形。
【発明の詳細な説明】
【０００１】
【発明の属する技術分野】
本発明は、人形に関する。
なお、本明細書において、人形とは、胴体と脚部と腕部と頭部を備えた人形全般に限らず、頭部を備えていない、いわゆる人形用素体といわれるものをも含む概念とする。また、手足、腰などの所要箇所が可動可能に構成されている、いわゆる可動人形の全てが対象とされる。また、可動人形には、所要可動箇所に別途間接部を設けているものや、間接部を設けず一体に成形されているが膝・肘などの所要箇所にて屈曲可能に構成されているものなど公知のもの全てが対象とされる。
また、「上脚」とは、脚の付け根（腰部股間位置との連結部）から膝までをいい、「下脚」とは、膝から足首までをいい、「足部」とは足首から先端（指先）までをいうものとする。
【０００２】
【発明の技術的背景】
昨今の人形業界において、特にフィギュアと称される人間の身体（裸体）形態を忠実に模写した構成を有する人形が需要者に人気を得ている。
このフィギュアなる人形は、一般に女児等が手に持って遊んだり、単に着せ替えをして遊んだりすることもあるが、昨今フィギュアの需要者層も変化してきており、特に成人男性などの需要者も多くなってきていることからも、その遊び方が変わってきている。
すなわち、手足や腰などが可動するフィギュアでは、例えば裸のまま、若しくは様々な衣装を着せた状態で、思い思いの姿勢を取らせ、その姿勢を維持させたまま棚やケース内などに飾ったり、あるいは写真撮影をしたりして楽しむ趣向がある。なお、手足や腰などが動かない人形にあっても、需要者の好みにあった衣装などを着せて飾ったり、写真撮影したりしている。
また、例えば、美術用デッサンなどで使用される可動人形にあっては、手足や腰などを任意に折り曲げて、デッサンしたい姿勢を取らせ、それをデッサンしていたものである。
上述のような場合、人が手を添えることなく、フィギュアに任意な姿勢を維持させた状態で立たせておく必要があった。
【０００３】
【従来の技術】
フィギュアを何の介添えもなく自立させるのは、特に女性を模写したフィギュアでは、その足部が小さく形成されているものであったため、その設置面積が少なく、バランスを取るのが大変困難であった。
従来、フィギュアを立たせておく場合、専用のスタンド２００が使用されていた。
例えば図１６に示すような、フィギュア１００の脚部１０１，１０１を入れて保持する脚保持部２０１を備えた専用スタンド２００が知られている。この図示例によれば、需要者は、専用スタンド２００の脚保持部２０１にフィギュア１００の脚部１０１を挿入し、そのままフィギュア１００に好みの姿勢を取らせて立たせていた。すなわち、立ち姿勢で飾られたり、写真撮影されていたフィギュア１００には常に専用スタンド２００がついているという状態であった。
【０００４】
【発明が解決しようとする課題】
しかし、このような従来技術では、上述したように、フィギュア１００を飾っている時、写真撮影をしている時など、フィギュア１００を立たせている時の全ての時において、専用スタンド２００が直視されるため、フィギュア１００の外観を損ねる場合がある。
特に写真撮影をする場合には、専用スタンド２００がフィギュア１００と一緒に写真に納まってしまうこととなるため、写真撮影をする需要者にあっては、何とかしてこの専用スタンド２００の脚保持部２０１などが写らないように、何等かの目隠しをする努力が必要であった。これは、デッサンなどをする際に使用される可動人形にあっても同様で、この専用スタンド２００の脚保持部２０１などが目に入ることでデッサン対象全体のイメージが変わってしまうという不具合があった。
また、従来のフィギュアには次のような問題も抱えていた。
例えば、手足や腰などの可動箇所に別途間接部を備えている従来の可動人形などのフィギュア１００で、脚部１０１が腰部分１０２に着脱可能かつ自由に遊動可能に連結されているものにあっては、その連結部にボールジョイントなどを用い、その遊動調整（渋み調整ともいう。以下同じ。）は何らなし得ないものであったため、フィギュア１００を自立させようとしてもふらついてしまう傾向にあった。このようなフィギュア１００では、図示した専用スタンド２００であっても自立させることは不可能であった。
そこで、このようなフィギュア１００を自立させるために、例えば所望な幅を有したプレート上に支柱を立設すると共に、該支柱から延びた支持杆にてフィギュアの身体の一部を支える専用スタンドなどもある（図示省略）。
しかし、このようなスタンドであっても図に示したスタンドと同様に、フィギュア１００を自立させている間は、常に専用スタンドが備えられている状態であるため、図示した専用スタンド２００の場合と同様の不具合を有している。
また、この種の専用スタンドの場合、支持杆にて、フィギュア１００の腰や首あたりを支えたり、腕などを掛けることでフィギュア１００全体を支えたりしていたため、図示例の専用スタンド２００で足元を支える場合よりも、さらにフィギュア１００の外観を損ねてしまうものであった。また、その支持杆に衣装やアクセサリーなどが引っ掛かり美観を損ねるばかりか、それらの破損を招くこともあった。
【０００５】
本発明は、従来技術の有するこのような問題点に鑑みなされたもので、その目的とするところは、専用スタンドを使用しなくともふらつく事なく人形自身で立ち姿勢、特に躍動感のある姿勢を維持することのできる人形を提供することである。
【０００６】
【課題を解決するための手段】
上記目的を達成するために本発明がなした技術的手段は、以下の通りである。
第１の発明は、股間部位にて任意方向に開脚作動可能、かつ着脱可能な左右の脚部を備え、該左右の脚部は、夫々上脚と下脚と足部とからなり、上脚は、脚長さ方向で前後に二分割した上脚本体と、該一方の上脚本体内に着脱可能に内装されると共に、他方の上脚本体を嵌合して連結する嵌合連結部材と、上脚本体上端にて回動可能に備えられる股間連結部材とからなり、一方の上脚本体は、外面に非貫通状に備えた筒状の股間連結部材用ネジ止め部と板状部固定用ネジ止め部を、夫々上脚本体内の上端側とその他の内面所望箇所に突設し、他方の上脚本体は、嵌合連結部材と嵌合して連結する嵌合部をその内面に備え、股間連結部材は、上記股間連結部材用ネジ止め部に挿通穴を介して上脚本体に回動可能かつ着脱可能に連結される上脚側連結片と、該連結片から一体的に延設され股間部位に回動可能かつ着脱可能に連結される係止片とを備え、嵌合連結部材は、一方の上脚本体内面所望箇所に突設した板状部固定用ネジ止め部のネジ穴に連通するネジ穴を有し、そのネジ穴上方からネジ止めして上脚本体内に一体的に内装されると共に、他方の上脚本体内面の嵌合部と嵌合する嵌合部を該他方の上脚本体と対向する面側に設けてなる板状部と、該板状部の一端に備えられ、下脚を回動可能かつ着脱可能に連結する第一連結部と、該板状部の他端にフランジ状に備えられ、上記上脚本体上端側の股間連結部材用ネジ止め部に挿通穴を介して連結すると共に上記股間連結部材の上脚側連結片と摺接状に配される第二連結部を備え、該第二連結部は、股間連結部材用ネジ止め部外径に、股間連結部材の上脚側連結片の挿通穴を嵌挿した後に、自己の挿通穴を上記ネジ止め部外径に嵌挿し、上記上脚側連結片の上下面を一方の上脚本体周縁面と第二連結部の摺接面とで挟み込むように密着させると共に、ネジ止め連結されることで肌表面に露出しない渋み調整部を構成し、前記足部の裏面には、一個乃至複数個の固着部材を備えたことを特徴とする人形としたことである。
第２の発明は、股間部位にて任意方向に開脚作動可能、かつ着脱可能な左右の脚部を備え、該左右の脚部は、夫々上脚と下脚と足部とからなり、上脚は、脚長さ方向で前後に二分割した上脚本体と、該一方の上脚本体内に着脱可能に内装されると共に、他方の上脚本体を嵌合して連結する嵌合連結部材と、上脚本体上端にて回動可能に備えられる股間連結部材とからなり、一方の上脚本体は、外面に非貫通状に備えた筒状の股間連結部材用ネジ止め部と板状部固定用ネジ止め部を、夫々上脚本体内の上端側とその他の内面所望箇所に突設し、他方の上脚本体は、嵌合連結部材と嵌合して連結する嵌合部をその内面に備え、股間連結部材は、上記股間連結部材用ネジ止め部に挿通穴を介して上脚本体に回動可能かつ着脱可能に連結される上脚側連結片と、該連結片から一体的に延設され股間部位に回動可能かつ着脱可能に連結される係止片とを備え、嵌合連結部材は、一方の上脚本体内面所望箇所に突設した板状部固定用ネジ止め部のネジ穴に連通するネジ穴を有し、そのネジ穴上方からネジ止めして上脚本体内に一体的に内装されると共に、他方の上脚本体内面の嵌合部と嵌合する嵌合部を該他方の上脚本体と対向する面側に設けてなる板状部と、該板状部の一端に備えられ、下脚を回動可能かつ着脱可能に連結する第一連結部と、該板状部の他端にフランジ状に備えられ、上記上脚本体上端側の股間連結部材用ネジ止め部に挿通穴を介して連結すると共に上記股間連結部材の上脚側連結片と摺接状に配される第二連結部を備え、該第二連結部は、股間連結部材用ネジ止め部外径に、股間連結部材の上脚側連結片の挿通穴を嵌挿した後に、自己の挿通穴を上記ネジ止め部外径に嵌挿し、上記上脚側連結片の上下面を一方の上脚本体周縁面と第二連結部の摺接面とで挟み込むように密着させると共に、ネジ止め連結されることで肌表面に露出しない渋み調整部を構成し、前記足部には着脱可能な靴を備え、該靴の底には、一個乃至複数個の固着部材を備えたことを特徴とする人形としたことである。
第３の発明は、第１の発明において、固着部材は磁石で、該磁石は表面を露呈させて指裏若しくは指寄りの足部裏面任意箇所に埋設されていることを特徴とする人形としたことである。
第４の発明は、第２の発明において、固着部材は磁石で、該磁石は薄肉状で靴底に一体的に貼設されていることを特徴とする人形としたことである。
第５の発明は、第２又は第４の発明において、靴がハイヒール若しくはローファーのいずれかであることを特徴とする人形としたことである。
【０００７】
【発明の実施の形態】
以下、本発明の一実施形態を図に基いて説明する。
なお、以下に説明する実施形態は、本発明の一実施形態にすぎず、何等これに限定解釈されるものではない。
【０００８】
図面は、本発明人形の一実施形態で、図中、１は腰部、２２は上胴部、２４は上脚２５と下脚３０と足部３１とから構成されている左右の脚部、３６は左右の腕部、３７は左右の手部、３８は首部を示し、上記各部は、夫々分解・組み立て可能で、その接合部位にて任意に回動作動と屈曲作動のいずれか若しくは双方が可能である。
図示する本実施形態では、フィギュアと称される人形で、特に頭部（顔部）を有していない、いわゆる可動人形用素体を一実施形態として挙げるが、何らこれに限定して解釈されるものではなく、一般に人形と称される範疇のものの全てを対象とする。また、その大きさ、外観なども限定されない。
各部の材質は特に限定解釈されず任意に選択可能である。なお、本発明において、例えば上胴部２２、左右の腕部（手部３７を含む）３６、首部３８などの構造は、特に図示形態に限定解釈されるものではなく、本発明の範囲内で適宜必要に応じて他の形態・構成を採用することが可能である。本実施形態では、左右の足部３１、左右の腕部３６、左右の手部３７、首部３８などがすべて分解・組み立て可能な構成としているが、これには特に限定されず本発明の範囲内で変更可能である。
本実施形態では、上胴部２２を腹部と胸部が一体である形態とするが、上胴部２２を腹部と胸部の二部構成とし、この腹部と胸部の連結箇所を回動可能に連結する形態であっても良い。
また、本発明では、上胴部２２や左右の腕部３６、左右の脚部２４、首部３８、あるいは頭部などが一体の形態とする人形も対象とする。
さらに言うまでもないが、本実施形態では人間の女性裸体を模写したものであるが、人間の男性裸体を模写した構成であってもよいことは勿論である。
【０００９】
本発明の人形は、図２に示すように、足部３１に着脱可能な靴４２を備え、足部裏面３１ａと靴底４２ａのいずれか一方に、一個乃至複数個の固着部材４１を備えて構成されている点を、第一の特徴的な構成とする。以下、この点を中心に説明し、その他の構成についてはその説明を省略する。
固着部材４１は、例えば磁石、ベルクロファスナー等がその代表例として挙げられる。これにより、固着部材４１が磁石である場合には被固着部材が鉄などの強磁性体からなる部材、また固着部材４１がベルクロファスナーである場合には被固着部材がベルクロファスナーであれば、両者が固着されることで専用スタンドを備えなくとも人形を自立させることが出来る（図１５参照）。
固着部材４１が磁石である場合、被固着部材に磁石を用いることももちろん可能である。なお、飾り棚などに人形を飾る場合には、飾り棚に鉄板やベルクロファスナーなどを予め敷設しておけば、別途鉄板などからなる台座を備えなくとも、人形を自立させることができる。
磁石やベルクロファスナーなどの固着部材４１を備える場合、足部裏面３１ａ、靴底４２ａに接着剤などを用いて接着固定する。例えば、図２に示す本実施形態のように足部裏面３１ａに磁石４１を備える場合には、足部裏面３１ａに円筒状の凹穴３１ｃを設けると共に、該凹穴３１ｃに接着剤などを介して円筒状の磁石４１を接着固定する。なお、固着部材４１が足部裏面３１ａなどに係合する構造を有しているものであってもよく、例えば、固着部材外周を凹穴内周に螺合するようにねじ止め構成とすることも可能である。また、固着部材４１を足部裏面３１ａなどに嵌合せしめる構造であってもよい。
【００１０】
足部裏面３１ａに固着部材４１を備える場合は、例えば、固着部材４１の表面４１ａを露呈させて指３１ｂの裏若しくは指３１ｂ寄りの足部裏面任意箇所に埋設する。好ましくは、図２のように、足部裏面３１ａの指付け根近くに設けた凹穴３１ｃに、固着部材４１の表面４１ａが足部裏面３１ａと略面一で露呈するよう一体的に埋設される。固着部材表面４１ａの露呈度合いは、足部裏面３１ａと略面一としているが、わずかに突状若しくは没状に埋設するものであってもよく、固着部材４１がその固着作用を発揮し得る程度であればよい。なお、固着部材４１の埋設箇所は、上述の箇所に限らず足部裏面３１ａの踵位置など任意箇所に任意形状を持って任意数備えられる。上述のように指３１ｂの裏若しくは指３１ｂ寄りの足部裏面任意箇所に固着部材４１を埋設する形態は、特に女性を模写したフィギュアに用いられる形態である。すなわち女性用フィギュアには、踵の高い、いわゆるハイヒールという靴４２を履かせることが多い（図２）。この場合、土踏まず位置から踵位置までの間はほとんど設置しないこととなる。よって、接地面積の広い指３１ｂの裏若しくは指３１ｂ寄りの足部裏面３１ａに固着部材４１を備えるのが好ましい。
足部裏面３１ａに固着部材４１を備える場合、固着部材４１としては磁石を採用する。すなわち、足部裏面３１ａに磁石４１を備えた場合、靴４２を履かせた状態でも、磁気の強い磁石を用いれば被固着部材として鉄などの強磁性体からなる部材上に自立させることが可能である。図示例では、円筒状の磁石４１と凹穴３１ｃとの組み合わせとしているが、磁石４１・凹穴３１ｃの形状・大きさなども任意に設計変更可能である。なお、特に限定されるものではないが、磁石４１の効果を発揮させるためにも可能な限り靴底４２ａは薄肉に形成されているものが好ましい。
通常、需要者が人形を室内などに飾ったり、写真撮影をする場合、裸の人形に衣装を着せているため、このように足部裏面３１ａに磁石４１を備えるものとすれば、磁石４１は靴４２により外部に露呈しなくなるため、飾った場合における美観を損なうこともない。
【００１１】
靴底４２ａに固着部材４１を備える場合には、固着部材４１として磁石またはベルクロファスナーのいずれもが採用可能である。この場合、磁石やベルクロファスナーなどの固着部材４１は、例えば薄肉状で靴底４２ａに一体的に貼設されているものとするのがよい。
このとき、固着部材４１は、靴底４２ａ全域にわたって設けるか、あるいは靴底４２ａの任意箇所にバランスよく配設し、被固着部材がなくともバランスよく靴底４２ａが接地可能とするのがよい。
すなわち、足部裏面３１ａの場合と同様に靴底４２ａに凹穴を設け、該穴に固着部材４１を埋設する構成とすると、靴内面に、該凹穴に対応する凸部が形成されることとなり、人形の足に履かせるときにこの凸部が邪魔となる。この不具合を解決しようとすると、靴底を厚くして靴内部に凸部が形成されないようにするか、あるいは凸部に合致する凹部を人形の足部裏面に設けなければならない。また、靴底を厚くすることは、人形と靴とのデザイン的なバランスが悪くなるばかりか、女性を模写したフィギュアなどの人形では、靴４２としてハイヒールを履かせることが多く、ハイヒールの靴底が厚くなるということは靴全体のデザインが悪くなる。また、足部裏面に凹穴を設けるものでは、靴を脱がせたときに足裏の凹穴が直視され好ましくない。また、靴底に磁石やベルクロファスナーを極端に突設させたのでは、外観上も好ましくなく、かつこれでは被固着部材のある場所以外では、その固着部材が邪魔となり人形を立たせることが困難となることも考えられる。よって、上述したとおり、靴底４２ａに薄肉状に一体的に貼設するのが好ましい。
上記靴４２として、例えば図２に示したハイヒールなどの靴が代表例として挙げられるが、何らこれに限定されるものではなく、踵の低いローヒール種の靴、例えばローファーなどであってもよい。
なお、ローファーを履かせた実施の形態を図３（ａ）・（ｂ）に示す。この場合、足部裏面に備える固着部材たる磁石４１は、図２の形態と同様に指３１ｂの裏若しくは指３１ｂ寄りの足部裏面３１ａに備えるもの（図３形態）であってもよいが、ローファーなどのヒールの低い靴の場合、被固着部材と接地する靴底面が広く、また靴底４２ａの非接地面（例えば土踏まず位置）と被固着部材との隙間も狭いため、足部裏面３１ａの中央寄りや踵寄りなど任意箇所に磁石４１を備えるものとしても磁石の作用により固着させることが出来る。
【００１２】
また、図１５の使用状態にあるように、被固着部材として所望形状の鉄板４３を一個乃至複数個備える場合、所望径の円盤状鉄板４３を夫々の足部３１に対して夫々一枚ずつ備えるものとすることも出来る。これによれば、人形の飾る場所が、固着部材、例えば磁石４１などの磁気が作用しない材質であっても人形を自立させて飾ることが出来る。また、このように各足ごとに鉄板４３を備えれば、躍動的な姿勢も容易に取りえ、かつ長時間姿勢を維持し得る。なお、単なる鉄板でよいことからコストを抑えることも出来る。
本実施形態では、被固着部材として円盤状鉄板４３を一例としてあげているが、形状・大きさなど限定して解釈されるものではなく、その他の任意形状に本発明の範囲内で設計変更可能である。また、靴底４２ａに固着部材４１としてベルクロファスナーを備える場合、被固着部材４３としては、所望形状・大きさ・材質の台座上にベルクロファスナーを備えたものが提供できる。
【００１３】
さらに、本発明は、上記足部３１の構造と相俟って、以下に詳細する脚部構造を採用することにより、手足や腰などの可動箇所に別途間接部を備えている可動人形などのフィギュアを対象とする場合に、各関節部位におけるふらつきを抑え、人形の自立をさらに向上させることが出来る。
すなわち本発明の第二の特徴的な構成は、次に示す脚部構造を有するものとした点にある。
【００１４】
本実施形態の左右の脚部２４，２４の構造について図面を参照して説明する。なお、足部３１の本発明固着構造については上述したのでここではその説明は省略し、脚部２４の本発明構造についての説明を中心に述べる。
脚部２４は、上脚２５と下脚３０と足部３１とから構成され、上脚２５の付け根位置が腰部１の股間位置にて任意方向に開脚作動可能、かつ着脱可能に連結されている。脚部２４を構成する上脚２５、下脚３０、足部３１の外観形状、すなわち肌感等（例えば筋肉の盛り上がり、女性的なライン、肌表面の色合いなど）は特に限定して解釈されるものではなく、本発明の範囲内で適宜設計変更可能である。
上脚２５は、脚長さ方向で前後に二分割した２つの上脚本体２５ａ，２５ｂを組合わせて使用し、上脚２５内には、嵌合連結部材３３を内装すると共に、股間連結部材３２を上端側に備えてなり、この上脚構造によれば、脚部の股間部箇所におけるふらつきを無くし、人形の自立を向上させると共に、人形の上脚外表面、すなわち肌表面にネジおよびネジ穴を露出することなく前後の上脚本体２５ａ，２５ｂ同士を分解・組み立て自在に連結し、肌表面のリアルさをできる限り人間に近づけることができる。具体的な構成は次の通りである。
【００１５】
一方の上脚本体２５ａは、その内面長さ方向に並設させて第一の板状部固定用ネジ止め部２６、第二の板状部固定用ネジ止め部２７を設け、そして上端側（付け根位置側）内面にも同様の構成の股間連結部材用ネジ止め部２８を設けている。
第一の板状部固定用ネジ止め部２６、第二の板状部固定用ネジ止め部２７、および股間連結部材用ネジ止め部２８は、上端にネジ挿入口２６ａ，２７ａ，２８ａを有すると共に、外面に非貫通状なネジ穴２６ｂ，２７ｂ，２８ｂを設けた所望高さ・所望径の短筒状に突設されている。
なお、この股間連結部材用ネジ止め部２８は、第一・第二の板状部固定用ネジ止め部２６，２７よりも、その上端を高い位置となるように構成されている。
詳しくは、後述する股間連結部材３２の上脚側連結片３２ｃと、嵌合連結部材３３の第二連結部３３ｅを嵌挿した時に、上記ネジ止め部２８の上端２８ｃが上記第二連結部３３ｅの上面３３ｅ′と面一若しくは第二連結部３３ｅの上面３３ｅ′よりも低く位置する程度の高さ寸法で形成されている（図７（ａ）参照）。
また、第一・第二の板状部固定用ネジ止め部２６，２７は、嵌合連結部材３３の板状部３３ａができる限り上脚の幅方向中心に配置されるよう第二連結片３３ｅの基端３３ｇから段差をもって形成されるため、その上端２６ｃ，２７ｃが板状部３３ａの裏面３３ａ″を接触支持する高さをもって形成される。なお、本実施形態では、第一・第二の板状部固定用ネジ止め部２６，２７の位置決め用の溝３３ｈを裏面３３ａ″に設けている。
他方の上脚本体２５ｂは、一方の上脚本体２５ａと組合わせた時に、上記第一の板状部固定用ネジ止め部２６と第二の板状部固定用ネジ止め部２７と同軸上に位置する嵌合凹部２９，２９をその内面に突設してなる。
この嵌合凹部２９は、嵌合連結部材３３の板状部３３ａの一面（上脚本体２５ｂ対向面）３３ａ′に突設される嵌合突起３３ｃを筒部内径２９ａに嵌合せしめることで、前後の上脚本体２５ａ，２５ｂ同士を着脱可能に連結固定する役目を有している。
なお、本実施形態では、板状部３３ａの嵌合突起３３ｃを、嵌合凹部２９の筒部内径２９ａに嵌め込む構成としているが、板状部３３ａの嵌合突起３３ｃの貫通穴３３ｃ′に嵌まり込むような突起を他方の上脚本体２５ｂ内面に突設する構成としてもよい。
【００１６】
股間連結部材３２は、腰部１の股間部位に回動可能かつ着脱可能に連結される係止片３２ａと、上脚本体２５ａの上端側に連結される上脚側連結片３２ｃとからなり、上脚側連結片３２ｃは、挿通穴３２ｄを設けたフランジ板状に形成されると共に、係止片３２ａと一体的に備えられている。
本実施形態では、薄肉円板状に形成されると共に、その円板中心位置に挿通穴３２ｄを設けた上脚側連結片３２ｃと、該上脚側連結片３２ｃの外周から、該連結片３２ｃの径方向外方に突設される桿部３２ｂと、該桿部３２ｂ先端を軸中心に連結し一体成形されている小径円板状の係止片３２ａとから構成されている。
そして、この股間連結部材３２における上脚側連結片３２ｃの挿通穴３２ｄは、上脚本体２５ａの股間連結部材用ネジ止め部２８の外径を摺接状に嵌め込むことのできる穴径とする。
また、本実施形態では、各上脚本体２５ａ，２５ｂの上端側は、上記上脚側連結片３２ｃの円板形状と同一円弧状に形成すると共に、上脚本体２５ａ，２５ｂを一体的に組み合わせた時に、該上脚側連結片３２ｃの円板形状に合致する切り欠き２５ｃ，２５ｃを夫々設けている。上脚側連結片３２ｃは、上脚本体２５ａ，２５ｂの切り欠き２５ｃ，２５ｃ間に挟まれた時に、該切り欠き２５ｃ，２５ｃ間で上脚上端中心に位置する。
【００１７】
嵌合連結部材３３は、一方の上脚本体２５ａ内に一体的に取付けて内装されると共に、他方の上脚本体２５ｂを着脱可能に嵌合連結する。
嵌合連結部材３３は、上脚本体２５ａ内に内装固定される板状部３３ａの一端に下脚３０と連結される第一連結部３３ｄを備えると共に、他端には上記股間連結部材３２の上脚側連結片３２ｃとネジ止め連結される第二連結部３３ｅを備えてなる。
上記板状部３３ａは、上脚本体２５ａ内に内装可能な幅・長さの所望板形状に形成し、板長さ方向に複数個のネジ穴３３ｂ，３３ｂを設けると共に、該夫々のネジ穴３３ｂ上端には、該ネジ穴３３ｂと穴中心軸方向に連通する貫通穴３３ｃ′を有した嵌合突起３３ｃを設けている。
第一連結部３３ｄは、上脚と下脚３０との間に備えられる膝部４５の一端の嵌合連結杆４６ａを任意方向に回動作動可能かつ着脱可能に嵌合する嵌合部３３ｄ′を備えてなり、本実施形態によれば嵌合部３３ｄ′は、嵌合連結杆４６ａをきつく嵌合可能な内径とした嵌合穴とする。
なお、下脚３０は、上述したように第一連結部３３ｄに嵌合可能な連結部を有しているものであれば特にその構造に限定されるものではなく本発明の範囲内で任意形状が選択可能である。
第二連結部３３ｅは、上記板状部３３ａの上端からフランジ板状に延設されると共に、その先端側に挿通穴３３ｆを設けてなる。フランジ板状の形状は特に限定されず任意であり、挿通穴３３ｆは、上脚本体２５ａの股間連結部材用ネジ止め部２８の外径を摺接状に嵌め込むことのできる穴径とする。すなわち、第二連結部３３ｅは、本実施形態では、股間連結部材３２の上脚側連結片３２ｃの摺接面（上面）３２ｃ′よりも小さく形成されているが、該摺接面（上面）３２ｃ′と同等の大きさとしてもよい。
そして、この第二連結部３３ｅは、上記股間連結部材３２の上脚側連結片３２ｃと共に一方の上脚本体２５ａ内面に備えた股間連結部材用ネジ止め部２８を介してネジ止め連結されることで肌表面に露出しない渋み調整部３９を構成している。
【００１８】
また、本実施形態では、嵌合連結部材３３に次のような特有構成を採用している。
すなわち、この嵌合連結部材３３は、板状部３３ａと、第一連結部３３ｄと、第二連結部３３ｅを一体成形してなる。
そして、第二連結部３３ｅの基端３３ｇから、段差を設けて一段下がった位置に板状部３３ａを一体的に延設すると共に、該板状部３３ａの他端が、第一連結部３３ｄの筒円中心３３ｄ″若しくはその近傍に連結した構成としている。詳しくは、股間連結部材３２の上脚側連結片３２ｃ上に第二連結部３３ｅを重ねて配置した時に、板状部３３ａが、上脚側連結片３２ｃと同一レベル位置に来るように設定される。
この技術的構成を採用する背景を説明する。
第二連結部３３ｅは、股間連結部材３２における上脚側連結片３２ｃの上面３２ｃ′上に摺接状に置かれる。
この時、上述した通り上脚側連結片３２ｃは、その組み込み時には上脚本体２５ａ，２５ｂ間の中心に配されるため、第二連結部３３ｅは必然的に上脚本体２５ａ，２５ｂ間中心よりも、上脚本体２５ｂ寄りに位置する。
ここで、第二連結部３３ｅの基端３３ｇから同一延長線上に板状部３３ａを一体的に延設することも可能である。
しかし、このように構成すると、板状部３３ａが、上脚本体２５ｂ寄りに位置することとなる。
このような構成となると、板状部３３ａと上脚本体２５ｂとの間のすきまが狭くなり、嵌合凹部２９と嵌合突起３３ｃとの嵌合深さが不十分となる。
これでは、嵌合が弱くなる虞があり、この点を解消するには上記すきまを広くして嵌合突起高さと嵌合凹部深さを十分にする必要があるが、このようにすきまを広くするということは上脚そのものを太くしなければならない。
上脚を太くするということは、女性の美しい脚線美を求める需要者にとっては大きな問題で、商品価値の低下となる。
また、第二連結部３３ｅと板状部３３ａを上述通り面一に延設したとすると、該板状部３３ａの他端側と、第一連結部３３ｄとの連結部位が、筒状に形成されている第一連結部３３ｄの筒円中心３３ｄ″より上方となる。
第一連結部３３ｄは、上脚の下端開口部２５ｄと同心円状に嵌合部３３ｄ′が位置（図６において中心軸を符号Ｌで示す。）していなければならないため、その配設位置は常に一定である。
そのため、板状部３３ａが上脚本体２５ｂ寄りに配されると、必然的に第一連結部３３ｄと板状部３３ａとの連結部位は、筒円中心３３ｄ″より上方となる。この第一連結部３３ｄは、下脚屈曲・回転作動時にかなりの力が掛かる。
よって、板状部３３ａとの連結部位が筒円中心３３ｄ″より上方では、このような力に耐え得るのが難しい。
そこで、上述した通り、第二連結部３３ｅの基端３３ｇから、段差を設けて一段下がった位置に板状部３３ａを一体的に延設した構成とすることで、板状部３３ａを上脚幅方向中心に位置させることができるため、上脚そのものを太くすることなく嵌合突起高さ・嵌合凹部深さを十分に確保することができる。
また、板状部３３ａを上脚幅方向中心に位置させることができるため、第一連結部３３ｄの筒円中心３３ｄ″又はその近傍に板状部３３ａを連結することができる。
【００１９】
渋み調整部３９は、このように上脚本体２５ａ内面の股間連結部材用ネジ止め部２８と、股間連結部材３２の上脚側連結片３２ｃと、嵌合連結部材３３の第二連結部３３ｅと、ネジ３５によって構成されている。
すなわち、股間連結部材用ネジ止め部２８の外径に、夫々の挿通穴３２ｄ，３３ｆを介して上脚側連結片３２ｃ、続いて第二連結部３３ｅを順次嵌め込み連結すると共に、その上方から固着部材、本実施形態ではネジ３５を締め込んでいく。このネジ３５の締込み具合によって、上脚側連結片３２ｃの両摺接面（上面３２ｃ′，下面３２ｃ″）が、下位の上脚本体２５ａの切り欠き２５ｃの周縁面２５ｃ′と、上位の第二連結部３３ｅの摺接面（下面）３３ｅ″により密着度合いが調整される。
これにより、上脚側連結片３２ｃが回動する時、その各摺接箇所に摩擦が生じ、この摩擦を調整することで渋みが調整可能となり、人形がふらつくことなく自立可能となる。また、この渋み調整部３９は、上述の構成を採用したことにより、脚部２４の外表面（肌表面）２４ａに露出することがなく、本発明の目的とするところの肌表面のリアルさを追求し得る。
従来の可動人形では、股間連結部の動きを得るため、ボールジョイントなどで遊動自在に連結させているだけで何ら渋み調整が行えていなかったため、この連結部位がふらふらで、長時間同一姿勢のまま立たせておくには、脚部を挿入して保持する形態の専用スタンドではなく体全体を支える専用スタンドが必須であった。これに対し、この股間連結部材連結部位に渋み調整部３９を設けた本発明と、足部裏面３１ａ又は靴底４２ａのいずれかに磁石などの固着部材４１を備えた本発明との組み合わせにより、股間部位における脚部２４のふらつきを抑えつつ足部裏面３１ａなどの磁石により、足部裏面などを被固着部材に固着させて立たせるため、可動人形を含めて全ての人形の自立が達成でき、さらに一歩進んだ人形の提供が成し得る。
【００２０】
本実施形態では、上脚２５と下脚３０との連結箇所（膝部分）の可動、および下脚３０と足部３１との連結箇所（足首部分）の可動に夫々渋みをつけ、本発明の構成と共に人形の自立をより一層確実なものとするため、次のような構成を採用した。これにより、本実施形態の人形は、上述した上脚２５と股間部位との連結箇所の可動に渋みを付けた他、上脚２５と下脚３０との連結箇所、および下脚３０と足部３１との連結箇所の全てにおいて夫々の可動に渋みをつけたため、夫々の連結箇所でふらつくことがなく、足部裏面３１ａや靴底４２ａに備えた固着部材４１と相俟って、人形は専用スタンドなどの別部材を介在することなく自立させることができる。また、この場合において自由に躍動感のある姿勢を取らせることも出来る。
【００２１】
まず、足部３１の可動部である足首部分は、図２（ａ）に示すような構成とした。すなわち、足部３１と下脚３０との連結に連結部材４４を用い、該連結部材４４は、樹脂材からなると共に、一端に下脚３０の下端に設けた差込穴３０ｃに左右方向に回動可能で、かつ抜き差し可能に嵌合される円柱状の嵌合連結杆４４ａを有し、他端に足部３１の足首部分に回動可能に連結される側面視円盤状の樹脂製連結片４４ｂを有している。そして、該連結片４４ｂの嵌合穴４４ｃと、足部３１側に設けた嵌合穴（図示省略）とを連通させると共に、該両穴に緊密に嵌合し、かつ足部３１が連結片４４ｂにて前後に回動可能なように樹脂製の差込固定部材４４ｄを備える。これにより、緊密に差し込んだ樹脂製の差込固定部材４４ｄと樹脂製の連結片４４ｂとの間で生じる摩擦により渋みを生じさせる構造とした。
【００２２】
また、上脚２５と下脚３０との連結箇所は、図６に示すような構成とした。すなわち、上脚２５と下脚３０の間は、膝部４５によって可動可能とし、その可動部位に渋みを生じさせる構成とした。膝部４５は、上脚２５との連結部４６と膝本体４７とからなり、連結部４６は、一端に設けた上脚の嵌合部（嵌合穴）３３ｄ′にきつく嵌合可能な外径を有する嵌合連結杆４６ａと、他端に設けた二股状の挟持部４６ｂとで構成されている。膝本体４７は、膝頭４７ａと、該膝頭４７ａの裏面に設けられ、連結部４６の挟持部４６ｂと連結される円盤状の連結片４７ｂと、下脚３０の二股状の挟持部３０ａと連結される円盤状の連結片４７ｃとで構成されている。
そして、連結部４６の挟持部４６ｂと膝本体４７の連結片４７ｂの夫々の嵌合穴４６ｃ，４７ｃを連通させると共に、該両穴に緊密に嵌合し、かつ連結片４７ｂが挟持部４６ｂ間にて前後に回動可能なように、断面Ｃ字状の金属製スプリングピン４８を備える。スプリングピン４８は、嵌合穴４６ｃ，４７ｃの内径よりも僅かに大径若しくは同径の外径とする。これにより、緊密に差し込んだスプリングピン４８により生じる摩擦により、膝部４５と上脚２５との可動に渋みを生じさせる構造とした。また膝本体４７の連結片４７ｄと下脚３０の挟持部３０ａの夫々の嵌合穴４７ｅ，３０ｂを連通させると共に、該両穴に緊密に嵌合し、かつ連結片４７ｄが挟持部３０ａ間にて前後に回動可能なように、樹脂製の差込固定部材４９を備える。これにより、緊密に差し込んだ樹脂製の差込固定部材４９と樹脂製の連結片４７ｄとの間で生じる摩擦により、膝部と下脚との可動に渋みを生じさせる構造とした。
【００２３】
本発明の上脚構造の組み立て工程の一例を説明する。
まず、股間連結部材３２の上脚側連結片３２ｃの挿通穴３２ｄに、一方の上脚本体２５ａの上端側に突設されている股間連結部材用ネジ止め部２８の外径を嵌挿して、係止片３２ａが上脚本体２５ａの上端に突状に位置するように股間連結部材３２を回動可能に備える。
この時、股間連結部材３２の上脚側連結片３２ｃの摺接面（下面）３２ｃ″は、上脚本体２５ａの切り欠き周縁面２５ｃ′に接している。
そして、次に、第一の板状部固定用ネジ止め部２６と第二の板状部固定用ネジ止め部２７に、嵌合連結部材３３の各ネジ穴３３ｂ，３３ｂを合わせると共に、ネジ穴上方の嵌合突起３３ｃ，３３ｃの貫通穴３３ｃ′，３３ｃ′を介してネジ３４，３４を締め付ける。
この時、嵌合連結部材３３の第二連結部３３ｅは、その挿通穴３３ｆに、上記上脚側連結片３２ｃ上に突出している股間連結部材用ネジ止め部２８の外径を嵌挿させると共に、摺接面（下面）３３ｅ″が上脚側連結片３２ｃの摺接面（上面）３２ｃ′に接している。
そして、股間連結部材用ネジ止め部２８にネジ３５を締め付けて股間連結部材３２を上脚本体２５ａの切り欠き周縁面２５ｃ′と第二連結部３３ｅの摺接面３３ｅ′によって挟み込むように密着させて連結する。
このネジ３５の締め付け程度によって、股間連結部材３２の渋みを強弱調整する。
そして、次に他方の上脚本体２５ｂの嵌合凹部２９と、嵌合連結部材３３の嵌合突起３３ｃとを嵌め合わせることにより、一方の上脚本体２５ａと他方の上脚本体２５ｂが一体化されて上脚２５が形成される。
そして、その後、上脚２５の下端側に位置する第一連結部３３ｄに、下脚３０を連結する。
このように上脚２５が形成されることにより、脚部２４の外表面（肌表面）２４ａには、従来のようなネジやネジ穴がなく、人間のような肌感のリアルさが得られる。また、上脚本体２５ａ，２５ｂ同士も自由に分離可能で、従来のように接着や溶着により分離不能となっているものではないため、必要に応じて分解できる。
【００２４】
次に、上記脚部２４を連結する本実施形態の腰部１の構造について図面を参照して説明する。
腰部１は、上胴部連結空間３と左右の脚部連結空間４，４とを備えて人間の腰部外表面を忠実に表現すべく従来のような二つ割構成ではなく一体成形され、左右の脚部２４，２４の付け根位置における股間連結部材３２の係止片３２ａ，３２ａを着脱・回動可能に連結する脚部連結構造５と、上胴部２２を着脱可能に連結する上胴部連結構造１９を有している。
このように一体成形されるため、腰部１には従来のような合わせ面に生じていた線がなく、また臀部１ａにはネジ穴などもなく、より人間の腰部外表面（肌面）を忠実に表現し得る。
上記上胴部連結空間３と左右の脚部連結空間４，４とは夫々連通状に形成されている。
腰部１全体の大きさ、形状など任意で、また外表面の形状、例えば臀部１ａ・下腹部１ｂの膨らみ等、股１ｃの切れ込み程度等も任意で、特に図示形状に限定解釈されるものではなく、本発明の範囲内で任意に設計変更可能である。
【００２５】
脚部連結構造５は、一体成形された腰部本体１の股間部６内面に設けた下側係止部７と、該下側係止部７と合致して左右の脚部２４，２４の各係止片３２ａ，３２ａを回動可能に係止保持する上側係止部１２を有する着脱可能な押え部材１０とからなり、該下側係止部７と上側係止部１２とによって、左右の脚部２４，２４の付け根位置を着脱可能、かつ回動可能に連結保持する構造である。
【００２６】
腰部本体２に設けられる下側係止部７は、左右の脚部連結空間４，４の間に位置している股間部６の内面に、左右脚部２４，２４の両係止片３２ａ，３２ａを相対向して内装可能な単一の凹部８を設けると共に、該凹部８と連通状に股間部６の内面両端縁に設けた半円状の左右係止溝９，９にて構成されている。
【００２７】
押え部材１０は、押え部材本体１１の下面に上側係止部１２を備えると共に、該本体１１の上面に上胴部分連結構造１９を備えている。
押え部材本体１１は、例えば腰部本体２の股間部６内面幅と同幅の略直方体状に形成され、その下面略中央に上側係止部１２を設けると共に、該上側係止部１２の同一軸上の上面略中央に上胴部連結構造１９を立設する。
押え部材１０に設けられる上側係止部１２は、腰部本体２に設けた下側係止部７の凹部８と同一形状の凹部１３を有し、該凹部１３は下側係止部７上に合わせた際に、下側係止部７の凹部８と共に短尺筒状の係止片内装空間１５を形成する。そして上側係止部１２は、下側係止部７の左右係止溝９，９と同一形状の半円状の左右係止溝１４，１４を、該凹部１３と連通状に本体１１の下面両端縁に設けて構成されている。
【００２８】
そして、上述のように構成された押え部材１０は、腰部本体２の股間部６内面上に上方から被せて、該股間部６内面上にネジ止め固着する。図中１６はネジ、１７は押え部材本体２側のネジ穴、１８は股間部６内面側のネジ穴を夫々示す。なお、固着構成は一例として上述したネジ止め構成に限らず、着脱可能な周知固着構成が適宜採用可能である。
【００２９】
上記下側係止部７と上側係止部１２は、本実施形態に限定解釈されるものではなく、本発明の範囲内で適宜設計変更可能である。すなわち、係止片内装空間１５・係止溝９，１４などの構成は本発明の範囲内で他の構成に変更可能である。また、下側係止部７の凹部８と上側係止部１２の凹部１３は、夫々左脚部係止片用凹部と右脚部係止片用凹部とを別個独立して凹設するものとしてもよい。
また、押え部材１０の全体形状も特に限定されず設計変更可能である。
【００３０】
上胴部連結構造１９は、上述した押え部材１０の上面が兼ねている。すなわち、押え部材本体１１の上面略中心に立設した連結部２０を介して上胴部２２を連結している。
連結部２０は、例えば本実施形態の如く、上面を開放し、差込み穴２１を備えた円筒状に構成され、例えば上胴部２２の下部内面にすべり作動可能に配設されているボールジョイント２３の円柱状棹部２３ａを、上記差込み穴２１に着脱自在に差込み連結する。
なお、本実施形態では、上胴部２２と腰部１との継手部分にボールジョイント２３を使用しているため、上記連結部２０の差込み穴２１を断面角穴状とした場合には、この棹部２３ａ外形も角柱状にすることが可能で、上胴部２２と腰部分１とが着脱自在な継手構造を有していれば、棹部２３ａと差込み穴２１との関係は任意に設計変更可能である。但し、容易に抜け落ちないように嵌合されているものとする。
【００３１】
従って、本実施形態における腰部１に左右の脚部２４，２４と上胴部２２を組み立て一体化する場合、まず、左右の脚部２４，２４は、各付け根部の股間連結部材３２，３２に備えられている各係止片３２ａ，３２ａを、夫々腰部本体２の股間部６内面に設けられた係止溝９，９を介して下側凹部８内に各係止片３２ａ，３２ａの下側半分を係止保持させる。
そして次に、押え部材１０を、上胴部連結空間１９の方向（上方向）から股間部６内面上に被せて上側凹部１３内に上記係止片３２ａ，３２ａの上側半分を内装すると共に、係止溝１４，１４を上記係止溝９，９と合致させる。
次に、ネジ１６を押え部材１０の上方から締め付けて、該押え部材１０を股間部６内面上に固着する。これにより、左右の脚部２４，２４は、係止片３２ａ，３２ａが係止片内装空間１５で回動可能に連結保持される。
そして次に、上述の通り固着された押え部材１０の連結部２０の差込み穴２１に、上胴部２２の下部内面に配設されているボールジョイント２３の棹部２３ａを差込み連結する。これにより、上胴部２２の下側は、腰部１の内方に挿入された状態で腰部１に連結されるため、外観上上胴部２２と腰部１とが分離せず一体感を醸し出す。
【００３２】
また、分解する場合には、まず、腰部１の連結部２０の差込み穴２１から、上胴部２２の棹部２３ａを単に引き抜くだけで良い。これにより、上胴部２２が腰部１から簡単に分解される。
次に、上胴部２２を分解した腰部１の上胴部連結空間３には、押え部材１０が現れ、そのネジ１６が直視できるため、該押え部材１０を腰部１の股間部６内面に固着している該ネジ１６を外すことができる。このネジ１６を外すことにより、押え部材１０は上方に外すことができる。これにより、股間部６の内面にある下側係止部７に内装係止されていた左右脚部２４，２４の係止片３２ａ，３２ａを外すことができる。
従って、このように簡単に分解組み立てができるため、他のパーツ（他の上胴部や他の脚部）への組み替え、あるいは洋服などの着せ替え・装備などの取付けなども容易に可能である。
【００３３】
このように、本実施形態によれば、腰部本体２を一体成形し、従来のような上胴部連結空間内に位置していたネジ止め構成部分が存在しないため、そして、押え部材１０の上面に立設した連結部２０を介して上胴部２２下部のボールジョイント２３の棹部２３ａを、着脱自在に差込み連結する構成としたため、上胴部連結空間３が広く確保できる。
すなわち、上胴部連結空間３が広く確保できるということは、腰部１の上胴部連結空間３内に上胴部２２下側が挿入された状態で連結される人形において、該上胴部２２がその空間３内で自由に動き得るスペースが広く取れ、上胴部２２と腰部１との境目の折曲・回動作動がスムーズかつ自由度が広がる。
【００３４】
【発明の効果】
本発明は、上述の通りの構造としたため、従来のように専用スタンドを利用しなくとも人形自身で自立させることができる。
よって、需要者は、思い思いの姿勢を人形に取らせ、その姿勢を何ら専用スタンドなどを介添えさせることなく維持させつつ室内などに飾ったり、写真撮影をしたり、あるいはデッサンをしたり出来る。すなわち、本発明によれば、今まで大変目障りであった専用スタンドを排除することが出来、需要者要求に十分に対応しえる。
さらに、本発明によれば、股間連結部材の渋み調整部を、上脚上端の股間連結部材連結部位に設けたため、渋みの調整が自由に行なえる。
従来の可動人形では、股間連結部の動きを得るため、ボールジョイントなどで遊動自在に連結させているだけで何ら渋み調整が行えていなかったため、この連結部位がふらふらであった。よって、長時間同一姿勢のまま立たせておくには、脚部を挿入して保持する形態の専用スタンドではなく体全体を支える専用スタンドが必須であったが、この股間連結部材連結部位に渋み調整部を設けた本発明と足部裏面又は靴底のいずれかに固着部材を備えた本発明との組み合わせにより、可動人形を含めて全ての人形の自立が達成でき、さらに一歩進んだ人形の提供が成し得た。
従って、フィギュアを起立させることが瞬時に成し得、また特に中腰状態をフィギュアに望むことも、この渋み調整をおこなうことで可能となるため、面白味が倍増し、商品価値の向上にもなる。また、この渋み調整部は、上脚本体内に備え、肌表面には何等露出していないため、肌感のリアルさを追求することができる。
【図面の簡単な説明】
【図１】本発明人形（頭部は省略した）の一実施形態を示す全体正面図。
【図２】（ａ）は足部の縦断側面図、（ｂ）は足部の縦断正面図。
【図３】足部の他の形態を示す縦断面図。
【図４】上脚と下脚との連結部位の断面図。
【図５】一方の上脚本体を外すと共に、他方の上脚本体の一部を切り欠いた上脚の一実施形態を示す斜視図。
【図６】一方の上脚本体を外した状態の平面図。
【図７】（ａ）は図４のＡ−Ａ線断面図、（ｂ）は図４のＢ−Ｂ線断面図。
【図８】嵌合連結部材の一実施形態を示す斜視図。
【図９】本発明人形の腰部構造を採用した一実施形態における分解斜視図。
【図１０】腰部の正面図。
【図１１】腰部の背面図。
【図１２】腰部の平面図。
【図１３】腰部の底面図。
【図１４】腰部の左側面図。
【図１５】図８のＣ−Ｃ線断面図。
【図１６】図１０のＤ−Ｄ線断面図。
【図１７】使用状態の一実施形態を示す図。
【図１８】従来技術の一実施形態を示し、専用スタンドを用いて立たせている状態の正面図。
【符号の説明】
２４：脚部
２５：上脚
２５ａ，２５ｂ：上脚本体
２６：第一の板状部固定用ネジ止め部
２７：第二の板状部固定用ネジ止め部
２８：股間連結部材用ネジ止め部
２９：嵌合凹部
３１：足部
３１ａ：足部裏面
３１ｃ：凹穴
３２：股間連結部材
３２ａ：係止片
３２ｃ：上脚側連結片
３２ｄ：挿通穴
３３：嵌合連結部材
３３ａ：板状部
３３ｂ：ネジ穴
３３ｃ：嵌合突起
３３ｄ：第一連結部
３３ｅ：第二連結部
３９：渋み調整部
４１：固着部材
４２：靴
４２ａ：靴底
【図１】
0003638579.tif 000002
【図２】
0003638579.tif 000003
【図３】
0003638579.tif 000004
【図４】
0003638579.tif 000005
【図５】
0003638579.tif 000006
【図６】
0003638579.tif 000007
【図７】
0003638579.tif 000008
【図８】
0003638579.tif 000009
【図９】
0003638579.tif 000010
【図１０】
0003638579.tif 000011
【図１１】
0003638579.tif 000012
【図１２】
0003638579.tif 000013
【図１３】
0003638579.tif 000014
【図１４】
0003638579.tif 000015
【図１５】
0003638579.tif 000016
【図１６】
0003638579.tif 000017
【図１７】
0003638579.tif 000018
【図１８】
0003638579.tif 000019